(57)【要約】      （修正有）【課題】簡単な構成で、老眼の人の視力を改善することが可能な老眼矯正体及び老眼矯正方法を提供すること。【解決手段】老眼矯正体１０は、円形に形成された透明のコンタクト薄板１であり、コンタクト薄板１は、着色部２を有し、着色部２の中心部に着色しない円形の絞り透明部３を形成した。このコンタクト薄板１は、レンズである。この老眼矯正体１０を、片方の眼の角膜の表面に装着し、老眼矯正体１０の絞り透明部３を通して焦点合わせを可能にする。【選択図】図１
2012155295.tif 000002
【特許請求の範囲】
【請求項１】
円形に形成された透明のコンタクト薄板であり、
前記コンタクト薄板は、着色部を有し、
前記着色部の中心部に着色しない円形の絞り透明部を形成したことを特徴とする老眼矯正体。
【請求項２】
前記コンタクト薄板は、レンズであることを特徴とする請求項１に記載の老眼矯正体。
【請求項３】
請求項１または請求項２に記載の老眼矯正体を、片方の眼の角膜の表面に装着し、
前記老眼矯正体の絞り透明部を通して焦点合わせを可能にすることを特徴とする老眼矯正方法。
【発明の詳細な説明】
【技術分野】
【０００１】
この発明は、角膜に直接装着して使用される老眼矯正体及び老眼矯正方法に関する。
【背景技術】
【０００２】
個人が加齢するにしたがって、眼は観測者（その個人）の比較的近くの物体に焦点を合わせるために生来の水晶体が硬くなったり調節力が低くなる。このような状態は、老眼として知られており、典型的には加齢した患者は、老眼、乱視、近視、および遠視のさまざまな組合せを有し、特に、老眼を有する患者の視力を矯正することは難しく、この課題を解決するためのさまざまな方法が長年に亘って示唆されてきた。
【０００３】
ひとつの公知の方法は、凸面および反対側の凹面を有し、凸面および凹面の一方が交互に配置された遠用度数と近用度数の部分を含み、ひとつ以上の遠用度数の部分が円柱度数を有する、眼用レンズを含むコンタクトレンズを用いるものがある（特許文献１）。
【先行技術文献】
【特許文献】
【０００４】
【特許文献１】特表２００４−５０７７９４号公報
【発明の概要】
【発明が解決しようとする課題】
【０００５】
このコンタクトレンズでは、眼用レンズの構成が複雑であり、精度も要求されることから生産コストが嵩むなどの問題があり、簡単な構成で老眼の人の視力を改善する方法が必要とされている。
【０００６】
この発明が解決しようとする課題は、簡単な構成で、老眼の人の視力を改善することが可能な老眼矯正体及び老眼矯正方法を提供することである。
【課題を解決するための手段】
【０００７】
前記課題を解決し、かつ目的を達成するために、この発明は、以下のように構成した。
【０００８】
請求項１に記載の発明は、円形に形成された透明のコンタクト薄板であり、前記コンタクト薄板は、着色部を有し、前記着色部の中心部に着色しない円形の絞り透明部を形成したことを特徴とする老眼矯正体である。
【０００９】
請求項２に記載の発明は、前記コンタクト薄板は、レンズであることを特徴とする請求項１に記載の老眼矯正体である。
【００１０】
請求項３に記載の発明は、請求項１または請求項２に記載の老眼矯正体を、片方の眼の角膜の表面に装着し、前記老眼矯正体の絞り透明部を通して焦点合わせを可能にすることを特徴とする老眼矯正方法である。
【発明の効果】
【００１１】
前記構成により、この発明は、以下のような効果を有する。
【００１２】
請求項１乃至請求項３に記載の発明では、老眼矯正体を、片方の眼の角膜の表面に装着し、この老眼矯正体の絞り透明部を通して焦点合わせを可能にすることで、絞り透明部により眼に入る光の量が減り、焦点の合う範囲が広がり鮮明に見えるようになる。
【図面の簡単な説明】
【００１３】
【図１】老眼矯正体の正面図である。
【図２】老眼矯正体の側面図である。
【図３】老眼矯正体の断面図である。
【図４】スピンキャスティング法を説明する図である。
【図５】モールディング法を説明する図である。
【図６】レースカット法を説明する図である。
【図７】老眼矯正体を眼の角膜の表面に装着した状態を示す図である。
【図８】老眼矯正体の透明部による焦点合わせを説明する図である。
【発明を実施するための形態】
【００１４】
以下、この発明の老眼矯正体及び老眼矯正方法の実施の形態について説明する。この発明の実施の形態は、発明の最も好ましい形態を示すものであり、この発明はこれに限定されない。
【００１５】
［老眼矯正体］
この発明の老眼矯正体を、図１乃至図３に基づいて説明する。図１は老眼矯正体の正面図、図２は老眼矯正体の側面図、図３は老眼矯正体の断面図である。
【００１６】
この老眼矯正体１０は、円形に形成された透明のコンタクト薄板１であり、このコンタクト薄板１は、着色部２を有し、この着色部２の中心部に着色しない円形の絞り透明部３を形成した構成である。
【００１７】
着色部２は、絞り透明部３を除いてコンタクト薄板１の全面に設けても良いが、絞り透明部３は直径０．８乃至１．６ｍｍの円形が好ましい。この実施の形態の着色部２は、直径３．８ｍｍの外周縁部２ａと、直径０．８乃至１．６ｍｍの内周縁部２ｂとにより構成される環状の着色部としている。着色部２は、黒色であるが、この黒色に限定されず、紺、赤、茶色などでもよく、明度の低い色が好ましい。
【００１８】
絞り透明部３は、着色部２の中心部に形成され、老眼矯正体１０を眼の角膜の表面に装着した際に、眼に入る光の量を減らし、焦点の合う範囲が広がり鮮明に見えるように機能する。
【００１９】
また、着色部２は、直径３．８ｍｍの外周縁部２ａと、直径０．８乃至１．６ｍｍの内周縁部２ｂとにより構成される環状であり、直径３．８ｍｍの外周縁部２ａとすることで、着色部２の外周縁部２ａがほぼ眼の瞳の大きさに対応しており、外部から老眼矯正体１０を装着している印象がなく体裁が良い。また、絞り透明部３の直径が０．８乃至１．６ｍｍであることが、眼に入る光の量を減らし、しかも焦点の合う範囲をより広げることができ好ましい。
【００２０】
コンタクト薄板１は、レンズであるが、フィルムであっても良い。コンタクト薄板１をレンズとすることで、乱視、近視、および遠視のさまざまな組合せにすることができる。
【００２１】
レンズの材質は、コンタクトレンズの公知の種々の材料が利用可能であり、酸素非透過性ハードコンタクトレンズのＭＭＡ（メタルメタクリレート）、酸素透過性ハードコンタクトレンズのＳＭＡ（シロキサニルメタクリレート）やＦＭＡ（フルオロメタクリレート）、含水性ソフトコンタクトレンズのＨＥＭＡ（ハイドロキシエチルメタクリレート），Ｎ−ＶＰ（Ｎ−ビニルピロリドン），ＤＭＡＡ（ジメチルアクリアミド），ＧＭＡ（グリセロールメタクリレート）、非含水性ソフトコンタクトレンズのシリコンラバー，ブチルアクリレート，ジメチルシロキサン、生体親和性コンタクトレンズのコラーゲン，アミノ酸共重合体などに適用できる。
【００２２】
この他、コンタクトレンズ用の重合性モノマーとしては、一般的に用いられるラジカル重合可能な化合物が考えられ、例えばビニル基、アリル基、アクリル基、またはメタクリル基を分子中に１個以上含む化合物で、通常ハードコンタクトレンズまたはソフトコンタクトレンズ材料として使用されている物質ならばどのようなものでも利用可能である。具体的には、アルキルアクリレート、シロキサニルアクリレート、フルオロアルキルアクリレート、ヒドロキシアルキルアクリレート、ポリエチレングリコールアクリレート、ビニルアクリレート等のアクリル酸エステル類、スチレンの誘導体、Ｎ−ビニルラクタム、（多価）カルボン酸ビニル等のビニル化合物等を考えることができる。さらに具体的には、例えば、スチレン、アクリル酸、メチルアクリレート、エチルアクリレート、ｎ−ブチルアクリレート、フェニルアクリレート、２−ヒドロキシエチルアクリレート、２−ヒドロキシプロピルアクリレート、メタクリル酸、メチルメタクリレート、エチルメタクリレート、ｎ−ブチルメタクリレート、２−エチルヘキシルメタクリレート、イソボルニルメタクリレート、ベンジルメタクリレート、フェニルメタクリレート、２−メタクリロイルオキシエチルコハク酸、２−ヒドロキシエチルメタクリレート、２−ヒドロキシプロピルメタクリレート、２−ヒドロキシブチルメタクリレート、フマル酸およびそれらのエステル類、メタクリロニトリル、Ｎ，Ｎ−ジメチルアクリルアミド、Ｎ−ビニル−２−ピロリドン等を用いることが可能である。
【００２３】
さらに架橋剤として、エチレングリコールジメタアクリレート、ジエチレングリコールジアクリレート、トリエチレングリコールジアクリレート、プロピレングリコールジアクリレート、トリメチロールプロパントリアクリレート、ペンタエリスリトールトリアクリレート、１，４−ブタンジオールジアクリレート、１，６−ヘキサンジオールジアクリレート、グリセリンジアクリレート、ジビニルベンゼンジアリルフタレート、ジエチレングリコールビスアリルカーボネート等の多官能モノマーを用いることができる。
【００２４】
また、フィルムの材質も、コンタクトレンズの公知の種々の材料が利用可能である。
【００２５】
この老眼矯正体を製造する方法としては、コンタクト薄板の素材と同一または異なるモノマーに所定の色素を混合してインクを製造し、このインクを、所定以上の径を有する環状に配置された凹部に注入し、この凹部のインクをパットにて採取してコンタクト薄板の成型型に転写し、この転写された成型型にてコンタクト薄板の少なくとも一方面の成型を行なうものを考えることができる。
【００２６】
かかる製造法によれば、コンタクト薄板の素材と同一または異なるモノマーに所定の色素を混合したインクを所定の径を有する環状に配置された凹部に充填し、この凹部のインクをパッドにて採取してコンタクト薄板の成型型にプリントし、プリントされた成型型にてコンタクト薄板の少なくとも一方面の成型を行なう。
【００２７】
従って、この製造方法によれば、環状の着色部を、コンタクト薄板に所定の径で環状に設けることが容易となる。こうした成型型を用いた老眼矯正体の製造方法として、コンタクトレンズの製造方法を用いることができる。
【００２８】
このコンタクトレンズの製造方法としては、回転するモールドの中にコンタクトレンズの材料となるモノマーを注入して遠心力によってこれを拡げて重合するスピンキャスティング法（図４）、凹型にコンタクトレンズの材料を流し込んで凸型を合わせて成型するモールディング法（図５）などが知られている。また、近年では、前面を型により形成し後面をレースカットする製造方法や、その逆に後面を型により形成して前面をレースカットする製法などがあり、このようなコンタクトレンズの製造方法のいずれも採用することができる。
【００２９】
インクを注入する凹部としては、微細加工の容易な金属板が利用でき、特に銅板が適している。インクを採取するパッドとしては、モノマーに対して科学的に安定した物性を有する軟質ポリマーなどの材質が適しており、特にシリコンが好適である。インクをプリントする成型型としては、ポリビニール製樹脂が適しているが、他に金属製の型なども用いることができる。このように製造される老眼矯正体は、環状の着色部の製造に当たって大幅な製造工程の追加・改変を必要としない。
【００３０】
また、コンタクトレンズの製造方法としては、前記の成型を伴う方法の他に、前面（外界からの光線が最初に接触する面）と後面（角膜に接触する面）とをポリマーから削り出すレースカット法（図６）がある。この製造方法を採用する場合には、所望の形状のコンタクトレンズを予め削りだしておき、これに後から、環状の着色部を配置すればよい。この場合の環状の着色部の配置は、レンズ前面側または後面側を削りだした後、この面にインクを転写し、インクの重合を行ない、表面研磨後、反対側の面を切削するといった方法を用いて行なえば良い。
【００３１】
また、従来の公知の方法により製造されたコンタクトレンズの前面（外界からの光線が最初に接触する面）にマスキングを行い、塗布により環状の着色部を形成して絞り透明部を設けても良い。
［老眼矯正方法］
【００３２】
この発明の老眼矯正方法を、図７及び図８に基づいて説明する。老眼が進み、老眼鏡を使用するようになると、老眼矯正体１０を、図７に示すように、老眼が進んだ片方の眼１０の角膜２１の表面に装着する。このように老眼矯正体１０を装着すると、着色部２の直径０．８乃至１．６ｍｍの内周縁部２ｂにより形成された絞り透明部３を通して焦点合わせが可能になる。
【００３３】
したがって、図８（ａ）に示すように、老眼矯正体１０を、老眼が進んだ片方の眼２０の角膜２１の表面に装着したことで、老眼矯正体１０の絞り透明部３を通して焦点合わせを可能になり、この絞り透明部３により眼２０に入る光の量が減り、焦点の合う範囲が広がり鮮明に見えるようになる。
【００３４】
これに対して、老眼矯正体１０を装着しない状態では、図８（ｂ）に示すように、眼２０に入る光の量が多く、ぼやけたり、かすむなど不鮮明である。
【００３５】
この老眼矯正体１０を使用した老眼矯正方法は、老眼が進んだ片方の矯正に使用することで、両眼とのバランスが行われ、見え方に違和感がなくなる。
【産業上の利用可能性】
【００３６】
この発明は、角膜に直接装着して使用される老眼矯正体及び老眼矯正方法に適用可能であり、簡単な構成で、老眼の人の視力を改善することが可能である。
【符号の説明】
【００３７】
１  コンタクト薄板
２  着色部２ａ  外周縁部
２ｂ  内周縁部
３  絞り透明部
１０  老眼矯正体
【図１】
2012155295.tif 000003
【図２】
2012155295.tif 000004
【図３】
2012155295.tif 000005
【図４】
2012155295.tif 000006
【図５】
2012155295.tif 000007
【図６】
2012155295.tif 000008
【図７】
2012155295.tif 000009
【図８】
2012155295.tif 000010
【手続補正書】
【提出日】平成24年4月27日(2012.4.27)
【手続補正１】
【補正対象書類名】特許請求の範囲
【補正対象項目名】全文
【補正方法】変更
【補正の内容】
【特許請求の範囲】
【請求項１】
円形に形成された透明のコンタクト薄板であり、
前記コンタクト薄板は、着色部を有し、
前記着色部は、
透明のコンタクト薄板の素材と同一または異なるモノマーに所定の色素を混合して製造したインクを、所定以上の径を有する環状に配置された凹部に注入し、
前記凹部のインクをパットにて採取して透明のコンタクト薄板の成型型に転写し、
前記転写された成型型にて透明のコンタクト薄板の少なくとも一方面の成形により形成し、
前記着色部の中心部に着色しない円形の絞り透明部を有することを特徴とする老眼矯正体。
【請求項２】
円形に形成された透明のコンタクト薄板であり、  
前記コンタクト薄板は、着色部を有し、
前記着色部は、
外界からの光線が最初に接触する前面と角膜に接触する後面とを有する予めポリマーから削りだした前記透明のコンタクト薄板の前面側または後面側に、インクを転写して形成し、
前記着色部の中心部に着色しない円形の絞り透明部を有することを特徴とする老眼矯正体。
【請求項３】
円形に形成された透明のコンタクト薄板であり、
前記コンタクト薄板は、着色部を有し、
前記着色部は、
外界からの光線が最初に接触する前面と角膜に接触する後面とを有する予めポリマーから削りだした透明のコンタクト薄板の前面側または後面側に、マスキングを行い、インクの塗布により形成し、  前記着色部の中心部に着色しない円形の絞り透明部を有することを特徴とする老眼矯正体。
【請求項４】
前記コンタクト薄板は、レンズであることを特徴とする請求項１乃至請求項３のいずれか１項に記載の老眼矯正体。
【請求項５】
請求項１乃至請求項３のいずれか１項に記載の老眼矯正体を、片方の眼の角膜の表面に装着し、
前記老眼矯正体の絞り透明部を通して焦点合わせを可能にすることを特徴とする老眼矯正方法。
【手続補正２】
【補正対象書類名】明細書
【補正対象項目名】０００８
【補正方法】変更
【補正の内容】
【０００８】
請求項１に記載の発明は、円形に形成された透明のコンタクト薄板であり、
前記コンタクト薄板は、着色部を有し、
前記着色部は、
透明のコンタクト薄板の素材と同一または異なるモノマーに所定の色素を混合して製造したインクを、所定以上の径を有する環状に配置された凹部に注入し、
前記凹部のインクをパットにて採取して透明のコンタクト薄板の成型型に転写し、
前記転写された成型型にて透明のコンタクト薄板の少なくとも一方面の成形により形成し、
前記着色部の中心部に着色しない円形の絞り透明部を有することを特徴とする老眼矯正体である。
請求項２に記載の発明は、
円形に形成された透明のコンタクト薄板であり、
前記コンタクト薄板は、着色部を有し、
前記着色部は、
外界からの光線が最初に接触する前面と角膜に接触する後面とを有する予めポリマーから削りだした前記透明のコンタクト薄板の前面側または後面側に、インクを転写して形成し、
前記着色部の中心部に着色しない円形の絞り透明部を有することを特徴とする老眼矯正体である。
請求項３に記載の発明は、
円形に形成された透明のコンタクト薄板であり、
前記コンタクト薄板は、着色部を有し、
前記着色部は、
外界からの光線が最初に接触する前面と角膜に接触する後面とを有する予めポリマーから削りだした透明のコンタクト薄板の前面側または後面側に、マスキングを行い、インクの塗布により形成し、  前記着色部の中心部に着色しない円形の絞り透明部を有することを特徴とする老眼矯正体である。
【手続補正３】
【補正対象書類名】明細書
【補正対象項目名】０００９
【補正方法】変更
【補正の内容】
【０００９】
請求項４に記載の発明は、前記コンタクト薄板は、レンズであることを特徴とする請求項１乃至請求項３のいずれか１項に記載の老眼矯正体である。
【手続補正４】
【補正対象書類名】明細書
【補正対象項目名】００１０
【補正方法】変更
【補正の内容】
【００１０】
請求項５に記載の発明は、請求項１乃至請求項３のいずれか１項に記載の老眼矯正体を、片方の眼の角膜の表面に装着し、
前記老眼矯正体の絞り透明部を通して焦点合わせを可能にすることを特徴とする老眼矯正方法である。
【手続補正５】
【補正対象書類名】明細書
【補正対象項目名】００１２
【補正方法】変更
【補正の内容】
【００１２】
請求項１乃至請求項５に記載の発明では、老眼矯正体を、片方の眼の角膜の表面に装着し、この老眼矯正体の絞り透明部を通して焦点合わせを可能にすることで、絞り透明部により眼に入る光の量が減り、焦点の合う範囲が広がり鮮明に見えるようになる。